(57)【要約】      （修正有）【課題】拡張モジュールを備えた赤外線受信装置、およびその受信方法を提供する。【解決手段】拡張モジュールを備えた赤外線受信装置、およびその受信方法は、主に赤外線受信モジュール、拡張モジュール、およびマイクロプロセッサにより構成される。マイクロプロセッサは赤外線受信モジュールのデータパルス信号を受信する。拡張モジュールは、赤外線受信モジュール、およびマイクロプロセッサと電気的に接続しており、外部拡張装置から出力される代替データパルス信号を受信してデータパルス信号に置換し、マイクロプロセッサに伝送する。さらに処理が行われ、接続した電気設備に制御コマンドを送信する。【選択図】図４
2011041232.tif 000002
【特許請求の範囲】
【請求項１】
代替データパルス信号を受信し、データパルス信号に置換することにより、制御コマンドを生成する、拡張モジュールを備えた赤外線受信装置であって、該受信装置は、
赤外線制御信号の受信に用いられ、復調後該データパルス信号を生成する、赤外線受信モジュール、
該赤外線受信モジュールと電気的に接続することにより、該データパルス信号を受信し、該制御コマンドを生成するマイクロプロセッサ、および
該赤外線受信モジュール、および該マイクロプロセッサと電気的に接続し、該代替データパルス信号を受信して該データパルス信号にエミュレートし、該マイクロプロセッサに伝送する拡張モジュール、
を含むことを特徴とする拡張モジュールを備えた赤外線受信装置。
【請求項２】
該代替データパルス信号、および該データパルス信号は同一形式であることを特徴とする請求項１に記載の受信装置。
【請求項３】
該代替データパルス信号を生成する拡張装置をさらに含み、該拡張装置は、
外部信号の受信に用いる受信モジュール、および
該受信モジュールと電気的に接続して該外部信号を受信し、復調処理を経て該代替データパルス信号を出力する処理ユニット、
を含むことを特徴とする請求項１に記載の受信装置。
【請求項４】
該受信モジュールは無線周波（Ｒａｄｉｏ  Ｆｒｅｑｕｅｎｃｙ、ＲＦ）受信モジュールであり、該外部信号は無線周波信号であることを特徴とする、請求項３に記載の受信装置。
【請求項５】
該拡張装置は、
該処理ユニットと電気的に接続し、該拡張装置の信号が正常であれば発光する発光ユニット、および
該処理ユニットと電気的に接続し、該拡張装置の周波数を調整することにより、外部の無線周波リモコン装置とペアとなる周波数切り替えモジュール、
をさらに含むことを特徴とする請求項４に記載の受信装置。
【請求項６】
該発光ユニットは、発光ダイオード（Ｌｉｇｈｔ  Ｅｍｉｔｔｉｎｇ  Ｄｉｏｄｅ、ＬＥＤ）であることを特徴とする請求項５に記載の受信装置。
【請求項７】
該拡張モジュールは、Ｍｉｎｉ  ＤＩＮコネクタ、またはＵＳＢコネクタであり、該拡張装置は対応する接続ポートを有し、該拡張モジュールと電気的に接続することを特徴とする請求項３に記載の受信装置。
【請求項８】
代替パルス信号を受信し、データパルス信号に置換することにより、制御コマンドを生成し、該代替データパルス信号および該データパルス信号は同一形式である、拡張モジュールを備えた赤外線受信装置であって、該受信装置は、
第一データ線を有し、赤外線信号を受信後、復調した該データパルス信号の出力に用いられる、赤外線受信モジュール、
第二データ線を有し、該第一データ線と電気的に接続して第一ノードを構成することにより、該データパルス信号を受信して該制御コマンドを生成するマイクロプロセッサ、および、
拡張データ線を有し、該第一ノードと電気的に接続することにより、該データパルス信号にエミュレートする該代替データパルス信号を、該マイクロプロセッサに伝送する拡張モジュール、
を含み、
そのうち、該第一ノードによって、該第一データ線、該第二データ線、および該拡張データ線と接続し、該第一データ線および該拡張データ線が出力する信号は、該第二データ線によって該マイクロプロセッサに伝送されることを特徴とする、拡張モジュールを備えた赤外線受信装置。
【請求項９】
該代替データパルス信号を生成する拡張装置をさらに含み、該拡張装置は
外部信号の受信に用いられる受信モジュール、および、
該受信モジュールと電気的に接続して該外部信号を受信し、復調処理を経て、該代替データパルス信号を出力する処理ユニット、
を含むことを特徴とする請求項８に記載の受信装置。
【請求項１０】
該受信モジュールは、無線周波（Ｒａｄｉｏ  Ｆｒｅｑｕｅｎｃｙ、ＲＦ）受信モジュールであり、該外部信号は無線周波信号であることを特徴とする請求項９に記載の受信装置。
【請求項１１】
該拡張装置は、
該処理ユニットと電気的に接続し、該拡張装置の信号が正常であれば発光する発光ユニット、および、
該処理ユニットと電気的に接続し、拡張装置の周波数を調整することにより、外部の無線周波リモコン装置とペアとなる周波数切り替えモジュール、
をさらに含むことを特徴とする請求項１０に記載の受信装置。
【請求項１２】
該発光ユニットは、発光ダイオード（Ｌｉｇｈｔ  Ｅｍｉｔｔｉｎｇ  Ｄｉｏｄｅ、ＬＥＤ）であることを特徴とする請求項１１に記載の受信装置。
【請求項１３】
該拡張モジュールは、Ｍｉｎｉ  ＤＩＮコネクタ、またはＵＳＢコネクタであり、該拡張装置は対応する連結ポートを有し、該拡張モジュールと電気的に接続することを特徴とする請求項９に記載の受信装置。
【請求項１４】
外部信号を、処理を経て、赤外線信号復調後のデータパルス信号にエミュレートする、拡張モジュールを備えた赤外線受信装置を使用した受信方法であって、該赤外線受信装置は赤外線受信モジュール、およびマイクロプロセッサを含み、該マイクロプロセッサは該赤外線受信モジュールが復調した該データパルス信号を受信し、該方法は、
ａ）該マイクロプロセッサ、および該赤外線受信モジュールと同時に電気的に接続する拡張データ線を有する拡張モジュールを提供し、
ｂ）該拡張モジュールは、代替データパルス信号を、該拡張データ線を介して該マイクロプロセッサに伝送し、該データパルス信号に置換する、
ことを含むことを特徴とする、拡張モジュールを備えた赤外線受信装置使用した受信方法。
【請求項１５】
ｃ）該拡張モジュールと電気的に接続した拡張装置を提供し、該拡張装置は受信モジュール、および処理ユニットを有しており、
ｄ）該受信モジュールは、該外部信号を受信し、
ｅ）該処理ユニットは、該外部信号を復調後、該代替データパルス信号を生成し、および、
ｆ）該処理ユニットは、該代替データパルス信号を該拡張モジュールに伝送する、
ことをさらに含むことを特徴とする請求項１４に記載の受信方法。
【請求項１６】
該受信モジュールは、無線周波（Ｒａｄｉｏ  Ｆｒｅｑｕｅｎｃｙ、ＲＦ）受信モジュールであり、該外部信号は無線周波信号であることを特徴とする請求項１５に記載の受信方法。
【請求項１７】
該拡張モジュールはＭｉｎｉ  ＤＩＮコネクタ、またはＵＳＢコネクタであり、該拡張装置は対応する連結ポートを有し、該拡張モジュールと電気的に接続することを特徴とする請求項１５に記載の受信方法。
【発明の詳細な説明】
【技術分野】
【０００１】
本発明は、赤外線受信装置および方法、特に拡張可能な赤外線信号受信装置および方法に関する。
【背景技術】
【０００２】
電気製品が溢れる現代では、テレビ、電灯、空調、音響機器、およびＤＶＤプレーヤーなどの設備は一般家庭に普及している。そして、便利さを追求し、リモコン（Ｒｅｍｏｔｅ  ｃｏｎｔｒｏｌ）はすでにどの家庭にも必ずある必需品となったようである。
【０００３】
現在、市場に流通するリモコンは、主に赤外線リモコンである。台湾特許第Ｉ２９６０９２号に記述されているように、赤外線リモコンの多くが、日本ＮＥＣ社が開発したμＰＤ６１２１Ｇ送信回路を使用しており、標準となっている。図１に示すように、該種リモコン（図示せず）はパルス幅変調の連続コードを採用している。主にパルス幅０．５６５ｍｓ、間隔０．５６ｍｓ、全周期１．１２５ｍｓの連続コードを組み合わせて２進法の「０」を示し、パルス幅０．５６ｍｓ、間隔１．６８５ｍｓ、全周期２．２４５ｍｓの連続コードを組み合わせて２進法の「１」を示す。
【０００４】
続いて、図２を参照されたい。前述のμＰＤ６１２１Ｇ送信回路が出力する制御コードは、連続した３２ビット（ｂｉｔ）の２進法の連続コードであり、その前半１６ビットは各８ビットのカスタムコード、およびカスタムコードの相補コード（または反転コードという）である。この１６ビットコードは主に異なる電気設備を区別するのに用いて、異なる設備のリモコンコードの相互干渉を防止する。後半１６ビットは各８ビットの操作コード（またはデータコードという）、および操作コードの相補コードであり、主に該種リモコンが送信する制御コマンドを示すのに用いられる。
【０００５】
前述の制御コードは、該種リモコンの赤外線送信ダイオードによって、復調した赤外線信号が生成され、赤外線受信装置に送信される。現在汎用されている赤外線受信装置は、図３に示すように、主に赤外線受信器１０１および濾波器１０２により構成される。赤外線受信器１０１は該種リモコンが送信する復調した赤外線信号を受信し、搬送波信号を濾波器１０２に出力する。濾波器１０２は、搬送波を濾波した後、濾波信号を出力して接続した電気設備２に伝送する。それにより、電気設備２に対するコマンドは、制御コードが示す制御コマンドに対応する。
【０００６】
しかし、赤外線は光波の１種であるため、透過力が弱いという欠点がある。さらに、使用の際には、該種リモコンを赤外線受信装置１０に向ける必要があり、使用角度が制限される。その上、使用距離が遠すぎる場合、リモコンの動作に影響を及ぼし、正常に使用できなくなることがある。結果として、使用者に多大な不便を与える。
【先行技術文献】
【特許文献】
【０００７】
【特許文献１】台湾特許第Ｉ２９６０９２号
【発明の概要】
【発明が解決しようとする課題】
【０００８】
本発明の主な目的は、拡張モジュールを備えた赤外線受信装置、およびその受信方法を提供することである。拡張モジュールを設け、接続した拡張装置が出力データ信号を受信して、赤外線モジュールが出力した信号にエミュレート、および置換することにより、制御コマンドを送信する。
【課題を解決するための手段】
【０００９】
前述の目的を達成するために、本発明は赤外線受信モジュール、拡張モジュール、およびマイクロプロセッサにより構成される。マイクロプロセッサは赤外線受信モジュールのデータパルス信号を受信する。拡張モジュールは赤外線受信モジュール、およびマイクロプロセッサと電気的に接続し、外部拡張装置が出力した代替データパルス信号を受信してデータパルス信号に置換し、マイクロプロセッサに送信してさらに処理を進める。
【図面の簡単な説明】
【００１０】
【図１】μＰＤ６１２１Ｇ送信回路の波形説明図である。
【図２】μＰＤ６１２１Ｇ送信回路の連続コードの説明図である。
【図３】先行技術の赤外線受信装置ブロック図である。
【図４】本発明の好適な実施例の受信装置ブロック図である。
【図５】本発明の好適な実施例の拡張接続説明図である。
【図６】本発明の好適な実施例の拡張装置ブロック図である。
【図７】本発明の好適な実施例の使用状態説明図である。
【図８】本発明の好適な実施例のフローチャート図である。
【発明を実施するための形態】
【００１１】
本発明の好適な実施例は、図式を組み合わせ、以下に詳しく説明する。
【００１２】
まず、図４を参照されたい。図４は、本発明の好適な実施例の受信装置ブロック図である。図に示すように、本発明の赤外線受信装置４は主に電気設備２´内に設置されており、赤外線受信モジュール４１、マイクロプロセッサ（Ｍｉｃｒｏｐｒｏｃｅｓｓｏｒ  Ｃｏｎｔｒｏｌ  Ｕｎｉｔ、ＭＣＵ）４２、および拡張モジュール４３からなる。赤外線受信モジュール４１は、電源線ＶＣＣ、アース線ＧＮＤ、および第一データ線４１ａを含む、少なくとも３本の接続線を有する。赤外線受信モジュール４１は、外部の復調した赤外線信号Ｓ１を受信し、内部処理を経て、第一データ線４１ａがデータパルス信号Ｓ２を出力する。マイクロプロセッサ４２は第二データ線４２ａを有し、第二データ線４２ａ上に第一ノード４２ｐを有する。第一データ線４１ａは、第二データ線４２ａ上の第一ノード４２ｐに接続することにより、出力したデータパルス信号Ｓ２をマイクロプロセッサ４２に伝送して処理を行う。さらに電気設備２´内の追加処理ユニット２１に制御コマンドＣ１を送信し、電気設備２´の動作を制御する（例えば、テレビの切替台数を制御、空調の温度調節を制御等）。そのうち、赤外線信号Ｓ１は、図７に示すように赤外線リモコン装置５１から送信されるが、これに限定されない。
【００１３】
現在市場で見られる電気設備２´の多くは、赤外線信号によってリモコン操作するため、これらの電気設備２´内部のマイクロプロセッサ４２はすべてデータパルス信号Ｓ２を処理する機能を有する。そのため、本発明において、電気設備２´のマイクロプロセッサ４２に対する調整および改正は必要なく、そのまま使用できることは特記するに値する。
【００１４】
拡張モジュール４３は、赤外線受信モジュール４１と同一の電源線ＶＣＣ、およびアース線ＧＮＤを有し、第一ノード４２ｐに接続する拡張データ線４３ａも有する。それによって、拡張モジュール４３が、拡張データ線４３ａを介してデータ信号を出力する時、データパルス信号Ｓ２と同一形式の信号であれば、代替データパルス信号Ｓ３とみなすことができ、赤外線受信モジュール４１が出力するデータパルス信号Ｓ２にエミュレートし、マイクロプロセッサ４２に伝送して処理し、制御コマンドＣ１を出力して電気設備２´の動作を制御する。本発明の実施例によると、拡張モジュール４３は、Ｍｉｎｉ  ＤＩＮコネクタ、またはユニバーサルシリアルバス（ＵＳＢ）コネクタであり、すべて本案特許請求の範囲内である。
【００１５】
続いて図５を参照されたい。図５は、本発明の好適な実施例の拡張接続説明図である。図に示すように、赤外線受信装置４の拡張モジュール４３は、外部の拡張装置４４と接続して、拡張装置４４が出力する出力データ信号Ｓ４を受信する。拡張モジュール４３は、拡張装置４４が出力する出力データ信号Ｓ４を受信するだけでなく、拡張装置４４の電源線ＶＣＣおよびアース線ＧＮＤと接続することにより、電気設備２´を介して、拡張装置４４の正常動作に必要な固定電源を提供する。そのうち、拡張装置４４は、拡張モジュール４３に対応する接続ポート、例えばＭｉｎｉ  ＤＩＮ接続ポート、またはＵＳＢ接続ポートを有しており、それにより、拡張モジュール４３と電気的に接続するが、これに限定されない。
【００１６】
拡張装置４４が拡張モジュール４３に出力した出力データ信号Ｓ４が、データパルス信号Ｓ２と同一形式であれば、代替データパルス信号Ｓ３とみなすことができ、マイクロプロセッサ４２に伝送し、制御コマンドＣ１を送信して、電気設備２´の動作を制御する。したがって、赤外線受信モジュール４１が故障した時、拡張モジュール４３と外部接続した他の赤外線受信器によってリモコン操作を行うことができ、電気設備２´内の赤外線受信モジュール４１を取り換える必要はない。さらに、市場に新しい技術（例えば無線周波リモコン装置）が登場した時、拡張装置４４の形式をそのまま利用し、各リモコン技術の出力信号をデータパルス信号Ｓ２と同一形式に復調させるだけで使用でき、電気設備２´内部の受信装置４をあわてて取り換える必要はない。しかしながら、以上記載した内容は、本発明の好適な実施例にすぎず、これに限定されない。
【００１７】
前述の無線周波リモコン装置は例である。図６を参照されたい。図６は、本発明の好適な実施例の拡張装置ブロック図である。拡張装置４４は、主に無線周波受信モジュール４４１、および処理ユニット４４２からなる。それによって（図７の５２のような）外部の無線周波リモコン装置が送信する無線周波信号Ｓ５を受信し、処理ユニット４４２に送信して処理後、復調したデータパルス信号Ｓ２と同一形式の出力データ信号Ｓ４を出力する。拡張装置４４は、第三データ線４４ａを有する。拡張装置４４が、拡張モジュール４３に接続する時、出力データ信号Ｓ４、すなわち、代替データパルス信号Ｓ３は、第三データ線４４ａを介して、拡張データ線４３ａに伝送される。第一ノード４２ｐによって第二データ線４２ａに接続し、第一データ線４１ａが出力するデータパルス信号Ｓ２に置換してマイクロプロセッサ４２に伝送することにより、処理後、制御コマンドＣ１を送信して電気設備２´の動作を制御する。
【００１８】
拡張装置４４は、さらに発光ユニット４４３、および周波数切替モジュール４４４を含む。発光ユニット４４３は、拡張装置４４の信号が正常であれば発光し、適するものは発光ダイオード（ＬＥＤ）である。周波数切替モジュール４４４は、拡張装置４４の周波数を調整することにより、無線周波リモコン装置５２とペア（Ｐａｉｒ）となる。さらに無線周波リモコン装置５２が出力する無線周波信号Ｓ５を安定して受信し、その他の信号の干渉を受けない。
【００１９】
本発明の受信装置４は、拡張装置４４の規格を通して、各形式の無線信号（例えば無線周波信号、またはブルートゥース信号など）を赤外線受信モジュール４１が出力するデータパルス信号Ｓ２にエミュレートする。そのため、使用者がどの形式の無線信号のリモコン装置を使用していても、受信装置４を内部に設けた電気設備２´に適用することができる。
【００２０】
図７に示すのは、本発明の好適な実施例の使用状態説明図である。本発明の受信装置４は電気設備２´の本体内に設置される。赤外線受信モジュール４１は、赤外線リモコン装置５１が送信する赤外線信号Ｓ１を受信することにより、電気設備２を制御する。拡張モジュール４３は、部分的に本体の外側に露出しているため、拡張装置４４を電気的に接続させることができる。図７において、拡張モジュール４３および拡張装置４４は、ＵＳＢコネクタおよびＵＳＢ接続ポートによって接続させるが、これに限定されない。
【００２１】
拡張モジュール４４の無線周波受信モジュール４４１は、無線周波リモコン装置５２が送信する無線周波信号Ｓ５を受信する。図に示すように、無線周波信号Ｓ５を使用してリモコン操作を行う場合、無線周波リモコン装置５２は、無線周波受信モジュール４４１にまっすぐに向ける必要はなく、操作距離も効果的に長くできる。このようにして、リモコン装置をさらに便利で使いやすいものにしている。
【００２２】
審査員の方に本発明の内容をさらにはっきりと理解していただくため、続いて図８を参照されたい。図８は、本発明の好適な実施例のフローチャート図である。本発明の拡張モジュールを備えた赤外線受信装置の受信方法では、まず図４に示すような、拡張データ線４３ａを有する拡張モジュール４３を提供する。拡張データ線４３ａは、第一ノード４２ｐを介して、赤外線受信モジュール４１、およびマイクロプロセッサ４２と電気的に接続する。このため、拡張モジュール４３が受信する代替データパルス信号Ｓ３は、赤外線受信モジュール４１の出力信号に置換でき、またマイクロプロセッサ４２は、処理を続けて制御コマンドＣ１を出力し、電気設備２´の動作を制御する。以下に、図８を組み合わせて前述の方法で示した拡張モジュール４３、および拡張装置４４の組み合わせプロセスを説明する。拡張装置４４は、前述の無線周波信号Ｓ５のような外部信号を受信し（ステップＳ７０）、続いて、拡張装置４４内部での復調を経て、拡張装置４４の出力データ信号Ｓ４を生成する（ステップＳ７２）。最後に、拡張モジュール４３との電気的接続を介して、出力データ信号Ｓ４を受信装置４に伝送する（ステップＳ７４）。
【００２３】
出力データ信号Ｓ４が受信装置４に伝送された後、受信装置４は出力データ信号Ｓ４がデータパルス信号Ｓ２と同一形式であるかどうかを判断する（ステップＳ７６）。同一形式であれば、出力データ信号Ｓ４を受信し、代替データパルス信号Ｓ３とすることにより、赤外線受信モジュール４１が出力するデータパルス信号Ｓ２に置換し（ステップＳ７８）、さらにマイクロプロセッサ４２に伝送して、さらなる処理を行う（ステップＳ８０）。最後に、受信装置４は、マイクロプロセッサ４２の処理後の結果によって制御コマンドＣ１を生成し（ステップＳ８２）、追加処理ユニット２１に伝送することにより、電気設備２´の動作を制御する（ステップＳ８４）。
【符号の説明】
【００２４】
１０  赤外線受信装置
１０１  赤外線受信器
１０２  濾波器
１０３  復調器
２  電気設備
２´  電気設備
２１  追加処理ユニット
４  赤外線受信装置
４１  赤外線受信モジュール
４２  マイクロプロセッサ
４３  拡張モジュール
４４  拡張装置
４４１  無線周波受信モジュール
４４２  処理ユニット
４４３  発光ユニット
４４４  周波数切替モジュール
４１ａ  第一データ線
４２ａ  第二データ線
４３ａ  拡張データ線
４４ａ  第三データ線
４２ｐ  第一ノード
５１  赤外線リモコン装置
５２  無線周波リモコン装置
ＶＣＣ  電源線
ＧＮＤ  アース線
Ｓ１  赤外線信号
Ｓ２  データパルス信号
Ｓ３  代替データパルス信号
Ｓ４  拡張装置の出力データ信号
Ｓ５  無線周波信号
Ｃ１  制御コマンド
Ｓ７０〜Ｓ８４  ステップ
【図１】
2011041232.tif 000003
【図２】
2011041232.tif 000004
【図３】
2011041232.tif 000005
【図４】
2011041232.tif 000006
【図５】
2011041232.tif 000007
【図６】
2011041232.tif 000008
【図７】
2011041232.tif 000009
【図８】
2011041232.tif 000010